(57)【要約】【課題】煩雑な作業を必要とせず、外箱内に隙間なく収容された状態から容易に取り出すことの可能な包装用内箱を提供する。【解決手段】外箱１００内に隙間なく収容される包装用内箱１０であって、矩形状の底面２と四つの側面３，４，５，６からなる内箱本体Ｂと、一辺１ｃが内箱本体Ｂに連接され、連接された一辺１ｃの向かい側の一辺１ｄが内箱本体Ｂに封緘される蓋体１とからなり、蓋体１の連接された一辺１ｃと封緘される一辺１ｄ以外の二辺１ａ，１ｂにそれぞれ、外箱１００からの取り出し用の切り欠き部１１ａ，１１ｂを設けた。【選択図】図１
0003124393.tif 000002
【実用新案登録請求の範囲】
【請求項１】
外箱内に隙間なく収容される包装用内箱であって、
矩形状の底面と四つの側面からなる内箱本体と、一辺が前記内箱本体に連接され、前記連接された一辺の向かい側の一辺が前記内箱本体に封緘される蓋体とからなり、
前記蓋体の前記連接された一辺と前記封緘される一辺以外の二辺にそれぞれ、前記外箱からの取り出し用の切り欠き部を設けたことを特徴とする包装用内箱。
【請求項２】
前記蓋体に破断線を設け、前記外箱から取り出す際に、前記蓋体の一部を前記破断線に沿って破断して前記切り欠き部を形成するようにしたことを特徴とする請求項１に記載の包装用内箱。
【請求項３】
外箱内に隙間なく収容される包装用内箱であって、
矩形状の底面と四つの側面からなる内箱本体と、一辺が前記内箱本体に連接され、前記連接された一辺の向かい側の一辺が前記内箱本体に封緘される蓋体とからなり、
前記蓋体の前記連接された一辺と前記封緘される一辺以外の二辺にそれぞれ、複数の破断線を設け、前記外箱から取り出す際に、前記蓋体の一部を前記破断線に沿って破断するとともに折り上げて、前記外箱からの取り出し用の把持部を形成するようにしたことを特徴とする包装用内箱。
【請求項４】
前記蓋体の二辺の前記把持部を形成する位置に、前記折り上げ用の切り欠き部を設けたことを特徴とする請求項３に記載の包装用内箱。
【考案の詳細な説明】
【技術分野】
【０００１】
本考案は、包装用内箱に関する。より詳しくは、品物を入れた後、外箱内に隙間なく収容される包装用内箱に関するものである。
【背景技術】
【０００２】
従来、搬送や保管等のために品物を入れるための包装容器として、外箱と内箱を用意し、品物を内箱に詰め、品物を詰めた複数の内箱を外箱に収容することが行われている。この場合、通常、内箱は、外箱の中でずれることのないように、隙間なく収容される。
そのため、品物を使用するために外箱から内箱を取り出す際に、内箱を最初に取り出すために指先を入れる隙間が存在せず、非常に取り出しにくいという問題点がある。
【０００３】
これに対して、特許文献１には、内箱の内フラップ（内蓋）の一部を切り欠いて取り出し用突片を形成し、外フラップ（外蓋）を閉じた後に取り出し用突片を外フラップの上に折り伏せたものが記載されている。そして、内箱の取り出し時に、取り出し用突片を立ち上げて持ち上げることにより、内箱全体を上方に引き出すようになっている。
【特許文献１】特開２００５−１８７０４５号公報
【考案の開示】
【考案が解決しようとする課題】
【０００４】
しかし、特許文献１に記載された発明の場合には、まず内フラップから取り出し用突片を切り欠いて立ち上げ、その状態で内フラップを閉じて、次に取り出し用突片に引っ掛からないように外フラップを閉じ、最後に取り出し用突片を外フラップの上に折り伏せるという、煩雑な作業が必要となる。
また、内箱を収容した後に外箱の蓋を閉める際に、取り出し用突片が自然に立ち上がって邪魔になる可能性がある。同様に、内箱を外箱内に縦方向に積み上げる場合にも取り出し用突片が邪魔になる可能性がある。
【０００５】
そこで本考案は、上記従来の課題を解決するためのものであり、煩雑な作業を必要とせず、外箱内に隙間なく収容された状態から容易に取り出すことの可能な包装用内箱を提供するものである。
【課題を解決するための手段】
【０００６】
上記従来の課題を解決するために、請求項１に係る考案の包装用内箱は、外箱（１００）内に隙間なく収容される包装用内箱（１０）であって、矩形状の底面（２）と四つの側面（３，４，５，６）からなる内箱本体（Ｂ）と、一辺（１ｃ）が前記内箱本体（Ｂ）に連接され、前記連接された一辺（１ｃ）の向かい側の一辺（１ｄ）が前記内箱本体（Ｂ）に封緘される蓋体（１）とからなり、前記蓋体（１）の前記連接された一辺（１ｃ）と前記封緘される一辺（１ｄ）以外の二辺（１ａ，１ｂ）にそれぞれ、前記外箱（１００）からの取り出し用の切り欠き部（１１ａ，１１ｂ）を設けたことを特徴とする。
【０００７】
また、請求項２に係る考案は、請求項１に記載の考案において、前記蓋体（１）に破断線（１２ａ，１２ｂ）を設け、前記外箱（１００）から取り出す際に、前記蓋体（１）の一部を前記破断線（１２ａ，１２ｂ）に沿って破断して前記切り欠き部（１１ａ，１１ｂ）を形成するようにしたことを特徴とする。
【０００８】
また、請求項３に係る考案の包装用内箱は、外箱（１００）内に隙間なく収容される包装用内箱（２０）であって、矩形状の底面（２）と四つの側面（３，４，５，６）からなる内箱本体（Ｂ）と、一辺（１ｃ）が前記内箱本体（Ｂ）に連接され、前記連接された一辺（１ｃ）の向かい側の一辺（１ｄ）が前記内箱本体（Ｂ）に封緘される蓋体（１）とからなり、前記蓋体（１）の前記連接された一辺（１ｃ）と前記封緘される一辺（１ｄ）以外の二辺（１ａ，１ｂ）にそれぞれ、複数の破断線（２２ａ，２３ａ，２２ｂ，２３ｂ）を設け、前記外箱（１００）から取り出す際に、前記蓋体（１）の一部を前記破断線（２２ａ，２３ａ，２２ｂ，２３ｂ）に沿って破断するとともに折り上げて、前記外箱（１００）からの取り出し用の把持部（２１ａ，２１ｂ）を形成するようにしたことを特徴とする。
【０００９】
また、請求項４に係る考案は、請求項３に記載の考案において、前記蓋体（１）の二辺（１ａ，１ｂ）の前記把持部（２１ａ，２１ｂ）を形成する位置に、前記折り上げ用の切り欠き部（２５ａ，２５ｂ）を設けたことを特徴とする。
【００１０】
なお、括弧内の記号は、考案を実施するための最良の形態および図面に記載された対応要素または対応事項を示す。
【考案の効果】
【００１１】
請求項１に記載の考案によれば、外箱内に隙間なく収容される包装用内箱の蓋体の周縁のうち、内箱本体に連接された一辺と内箱本体に封緘される一辺以外の二辺にそれぞれ、外箱からの取り出し用の切り欠き部を設けたので、包装用内箱を外箱から取り出す際に、切り欠き部に指を入れて上方に持ち上げることができる。従って、外箱内に隙間なく収容された状態から包装用内箱を容易に取り出すことができる。
【００１２】
また、請求項２に記載の考案によれば、請求項１に記載の考案の作用効果に加えて、外箱からの取り出し用の切り欠き部を形成するために、蓋体に破断線を設け、外箱から取り出す際に、蓋体の一部を破断線に沿って破断するようにしたので、外箱から取り出す前の収容された状態においては、包装用内箱の蓋体に切り欠き部は存在しない。従って、切り欠き部から内部にゴミ等が入るのを防止することができる。
【００１３】
また、請求項３に記載の考案によれば、外箱内に隙間なく収容される包装用内箱の蓋体の周縁のうち、内箱本体に連接された一辺と内箱本体に封緘される一辺以外の二辺にそれぞれ、複数の破断線を設けたので、外箱から取り出す際に、蓋体の一部を破断線に沿って破断するとともに折り上げて、外箱からの取り出し用の把持部を形成することができる。そして、把持部を握って包装用内箱を上方に持ち上げることができる。従って、外箱内に隙間なく収容された状態から包装用内箱を容易に取り出すことができる。
また、外箱から取り出す前の収容された状態においては、把持部は蓋体と面一であるので、邪魔になることはない。
【００１４】
また、請求項４に記載の考案によれば、請求項３に記載の考案の作用効果に加えて、蓋体の二辺の把持部を形成する位置に、折り上げ用の切り欠き部を設けたので、切り欠き部に指を入れることにより、容易に把持部を形成することができる。
【考案を実施するための最良の形態】
【００１５】
次に、図１乃至図４を参照して、本考案の実施形態１に係る包装用内箱について説明する。図１は、実施形態１に係る包装用内箱１０を示す斜視図であり、図２は、包装用内箱１０の蓋を開いた状態を示す斜視図である。また、図３は、包装用内箱１０を示す平面図であり、図４は、包装用内箱１０の使用状態を示す斜視図である。
【００１６】
図１乃至図３に示すように、実施形態１に係る包装用内箱１０は、内箱本体Ｂと、蓋体１から構成されている。
内箱本体Ｂは、矩形状の底面２と、底面２の各辺に連接された四つの側面３，４，５，６から構成されており、内側に品物を収容する凹部が形成されている。また、側面４及び側面６の上辺には、それぞれ内蓋７，８が連接されており、蓋体１を閉める前に、内蓋７，８を内側に折り込むようになっている。
蓋体１の一辺１ｃは、内箱本体Ｂの側面５の上辺に連接されており、一辺１ｃの向かい側の一辺１ｄには、差し込み片９が形成されている。そして、蓋体１を閉める場合には、差し込み片９を折り曲げて内箱本体Ｂの側面３の内側に差し込むとともに、一辺１ｄを内箱本体Ｂの側面３の上辺にテープ等で封緘するようになっている。
【００１７】
また、蓋体１の周縁の四つの辺のうち、内箱本体Ｂに連接された一辺１ｃと内箱本体Ｂに封緘される一辺１ｄ以外の二つの辺、すなわち一辺１ａと一辺１ｂには、それぞれ切り欠き部１１ａ，１１ｂが形成されている。切り欠き部１１ａ，１１ｂは、略矩形状に形成され、包装用内箱１０を上方に持ち上げる際に、指を差し込むことができるほどの大きさになっている。
なお、切り欠き部１１ａ，１１ｂの形状は、略矩形状に限定されるものではなく、包装用内箱１０を上方に持ち上げる際に指を差し込むことができるものであれば、どのような形状であってもよい。例えば、一辺１ａと一辺１ｂの辺全体が切り欠き部となっていてもよい。
【００１８】
また、切り欠き部１１ａ，１１ｂは、予め蓋体１の一部を切り欠いて取り除いておいてもよいが、外箱から取り出す際に取り除くようにしてもよい。すなわち、蓋体１に図３に示すような切り欠き部１１ａ，１１ｂに沿った破断線１２ａ，１２ｂを設けておき、外箱から取り出す際に、蓋体１の一部（切り欠き部１１ａ，１１ｂの部分）を破断線１２ａ，１２ｂに沿って破断して取り除き、切り欠き部１１ａ，１１ｂを形成するようにしてもよい。このようにすれば、外箱から取り出す前の収容された状態においては、蓋体１に切り欠き部１１ａ，１１ｂが存在しないので、内箱本体Ｂの内部と外部との間に隙間が生じず、内部にゴミ等が入らない。
【００１９】
図４を参照して、実施形態１に係る包装用内箱１０を外箱から取り出す方法を説明する。
図４に示すように、外箱１００には、複数の包装用内箱１０が隙間なく収容されており、隣り合う包装用内箱１０，１０の間に指を差し込むことは困難な状態となっている。なお、包装用内箱１０の蓋体１は、テープ５０により内箱本体Ｂに封緘されている。
包装用内箱１０を外箱１００から取り出す際には、蓋体１の切り欠き部１１ａ，１１ｂに指を差し込んで上方に持ち上げる。このようにして、包装用内箱１０を容易に取り出すことができる。
【００２０】
実施形態１に係る包装用内箱１０によれば、外箱１００内に隙間なく収容される包装用内箱１０の蓋体１の周縁のうち、内箱本体Ｂに連接された一辺１ｃと内箱本体Ｂに封緘される一辺１ｄ以外の二辺１ａ，１ｂにそれぞれ、外箱１００からの取り出し用の切り欠き部１１ａ，１１ｂを設けたので、包装用内箱１０を外箱１００から取り出す際に、切り欠き部１１ａ，１１ｂに指を入れて上方に持ち上げることができる。従って、外箱１００内に隙間なく収容された状態から包装用内箱１０を容易に取り出すことができる。
【００２１】
また、外箱１００からの取り出し用の切り欠き部１１ａ，１１ｂを形成するために、蓋体１に切り欠き部１１ａ，１１ｂに沿った破断線１２ａ，１２ｂを設け、外箱１００から取り出す際に、蓋体１の一部を破断線１２ａ，１２ｂに沿って破断するようにすれば、外箱１００から取り出す前の収容された状態においては、包装用内箱１０の蓋体１に切り欠き部１１ａ，１１ｂは存在しない。従って、切り欠き部１１ａ，１１ｂから内部にゴミ等が入るのを防止することができる。
【００２２】
次に、図５乃至図９を参照して、本考案の実施形態２に係る包装用内箱について説明する。図５は、実施形態２に係る包装用内箱２０を示す斜視図であり、図６は、包装用内箱２０の蓋を開いた状態を示す斜視図である。また、図７は、包装用内箱２０を示す平面図であり、図８は、包装用内箱２０の把持部を折り上げた状態を示す斜視図である。また、図９は、包装用内箱２０の使用状態を示す斜視図である。
【００２３】
図５乃至図８に示すように、実施形態２に係る包装用内箱２０は、実施形態１に係る包装用内箱１０とほぼ同様の構成であり、内箱本体Ｂと、蓋体１から構成されている。しかし、実施形態１においては、一辺１ａと一辺１ｂに切り欠き部１１ａ，１１ｂを設けたのに対して、実施形態２においては、把持部２１ａ，２１ｂを設けた点が異なる。
なお、実施形態１に係る包装用内箱１０と同一の部分には同一の符号を付し説明を省略する。
【００２４】
図７に示すように、蓋体１の周縁の四つの辺のうち、内箱本体Ｂに連接された一辺１ｃと内箱本体Ｂに封緘される一辺１ｄ以外の二つの辺、すなわち一辺１ａと一辺１ｂには、それぞれ二本ずつの破断線２２ａ，２３ａ，２２ｂ，２３ｂが設けられている。破断線２２ａ，２３ａ，２２ｂ，２３ｂは、ミシン目状のものであってもよいし、切れ込み状のものであってもよい。また、一辺１ａ側には、破断線２２ａの端部と破断線２３ａの端部を結ぶ折線２４ａが設けられ、同様に一辺１ｂ側には、破断線２２ｂの端部と破断線２３ｂの端部を結ぶ折線２４ｂが設けられている。
そして、外箱から取り出す際には、蓋体１の一部を破断線２２ａ，２３ａ，２２ｂ，２３ｂに沿って破断するとともに、折線２４ａ，２４ｂで折り上げて、把持部２１ａ，２１ｂを形成するようになっている。なお、破断線をさらに多く設けて、一つの辺に把持部を複数形成するようにしてもよい。
【００２５】
把持部２１ａ，２１ｂは、それぞれ略矩形状に形成されており、折線２４ａ，２４ｂと反対側に半円状の切り欠き部２５ａ，２５ｂが設けられている。この切り欠き部２５ａ，２５ｂは必ずしも設ける必要はないが、切り欠き部２５ａ，２５ｂに指を差し込むことで、把持部２１ａ，２１ｂを容易に折り上げることができるようになっている。
【００２６】
なお、把持部２１ａ，２１ｂの形状は、略矩形状に限定されるものではなく、包装用内箱２０を上方に持ち上げる際に握れるものであれば、どのような形状であってもよい。例えば、一辺１ａと一辺１ｂの辺全体が把持部となっていてもよい。
また、切り欠き部２５ａ，２５ｂの形状は、半円状に限定されるものではなく、把持部２１ａ，２１ｂを折り上げる際に指を差し込むことができるものであれば、どのような形状であってもよい。
【００２７】
図９を参照して、実施形態２に係る包装用内箱２０を外箱から取り出す方法を説明する。
図９に示すように、外箱１００には、複数の包装用内箱２０が隙間なく収容されており、隣り合う包装用内箱２０，２０の間に指を差し込むことは困難な状態となっている。なお、包装用内箱２０の蓋体１は、テープ５０により内箱本体Ｂに封緘されている。
包装用内箱２０を外箱１００から取り出す際には、蓋体１の一部を破断線２２ａ，２３ａ，２２ｂ，２３ｂに沿って破断するとともに、折線２４ａ，２４ｂで折り上げて、把持部２１ａ，２１ｂを形成する。そして、把持部２１ａ，２１ｂを握って上方に持ち上げる。このようにして、包装用内箱２０を容易に取り出すことができる。
【００２８】
実施形態２に係る包装用内箱２０によれば、外箱１００内に隙間なく収容される包装用内箱２０の蓋体１の周縁のうち、内箱本体Ｂに連接された一辺１ｃと内箱本体Ｂに封緘される一辺１ｄ以外の二辺１ａ，１ｂにそれぞれ、二本ずつの破断線２２ａ，２３ａ，２２ｂ，２３ｂを設けたので、外箱１００から取り出す際に、蓋体１の一部を破断線２２ａ，２３ａ，２２ｂ，２３ｂに沿って破断するとともに折り上げて、外箱１００からの取り出し用の把持部２１ａ，２１ｂを形成することができる。そして、把持部２１ａ，２１ｂを握って包装用内箱２０を上方に持ち上げることができる。従って、外箱１００内に隙間なく収容された状態から包装用内箱２０を容易に取り出すことができる。
また、外箱１００から取り出す前の収容された状態においては、把持部２１ａ，２１ｂは蓋体１と面一であるので、邪魔になることはない。
【００２９】
また、蓋体１の二辺１ａ，１ｂの把持部２１ａ，２１ｂを形成する位置に、折り上げ用の切り欠き部２５ａ，２５ｂを設けたので、切り欠き部２５ａ，２５ｂに指を入れることにより、容易に把持部２１ａ，２１ｂを形成することができる。
【図面の簡単な説明】
【００３０】
【図１】本考案の実施形態１に係る包装用内箱を示す斜視図である。
【図２】実施形態１に係る包装用内箱の蓋を開いた状態を示す斜視図である。
【図３】実施形態１に係る包装用内箱を示す平面図である。
【図４】実施形態１に係る包装用内箱の使用状態を示す斜視図である。
【図５】実施形態２に係る包装用内箱を示す斜視図である。
【図６】実施形態２に係る包装用内箱の蓋を開いた状態を示す斜視図である。
【図７】実施形態２に係る包装用内箱を示す平面図である。
【図８】実施形態２に係る包装用内箱の把持部を折り上げた状態を示す斜視図である。
【図９】実施形態２に係る包装用内箱の使用状態を示す斜視図である。
【符号の説明】
【００３１】
１      蓋体
２      底面
３      側面
４      側面
５      側面
６      側面
７      内蓋
８      内蓋
９      差し込み片
１０      包装用内箱
１１      切り欠き部
１２      破断線
２０      包装用内箱
２１      把持部
２２      破断線
２３      破断線
２４      折線
２５      切り欠き部
５０      テープ
１００      外箱
Ｂ      内箱本体
【図１】
0003124393.tif 000003
【図２】
0003124393.tif 000004
【図３】
0003124393.tif 000005
【図４】
0003124393.tif 000006
【図５】
0003124393.tif 000007
【図６】
0003124393.tif 000008
【図７】
0003124393.tif 000009
【図８】
0003124393.tif 000010
【図９】
0003124393.tif 000011